(57)【要約】  ニューラジオワイヤレス通信システムにおけるセル同期の複雑さを低減する構成可能な同期信号送信のための方法および装置について開示する。たとえば、本方法および本装置は、同期信号ブロックの第1のセットを有する第1の同期信号バーストセットを生成することと、同期信号ブロックの第2のセットを有する少なくとも1つの第2の同期信号バーストセットを生成することと、第1の同期信号ブロックを第1の周波数上で送信することと、第2の同期信号ブロックを第2の周波数上で送信することとを含み得る。
2020510349.tif 000002
【特許請求の範囲】
【請求項１】
ワイヤレス通信の方法であって、
同期信号ブロックの第1のセットを有する第1の同期信号バーストセットを生成するステップと、
同期信号ブロックの第2のセットを有する少なくとも1つの第2の同期信号バーストセットを生成するステップと、
前記第1の同期信号バーストセットを第1の周波数上で送信するステップと、
前記第2の同期信号バーストセットを第2の周波数上で送信するステップとを含む、方法。
【請求項２】
前記第1の周波数が前記第2の周波数とは異なる、請求項1に記載の方法。
【請求項３】
前記第1の同期信号バーストセットを前記第1の周波数上で送信するステップが、前記第1の同期信号バーストセットを前記第1の周波数上で、第1の周期値に基づいて周期的に送信するステップを含み、
前記第2の同期信号バーストセットを前記第2の周波数上で送信するステップが、前記第2の同期信号バーストセットを前記第2の周波数上で、第2の周期値に基づいて周期的に送信するステップを含む、請求項1に記載の方法。
【請求項４】
前記第1の周期値が前記第2の周期値とは異なる、請求項3に記載の方法。
【請求項５】
前記第1の周期値が前記第2の周期値と同じである、請求項3に記載の方法。
【請求項６】
前記第1の周波数および前記第2の周波数が、同じ周波数キャリアまたは異なる周波数キャリアに関連付けられる、請求項1に記載の方法。
【請求項７】
前記第1の同期信号バーストセットを送信するステップが、前記第1の同期信号バーストセットを第1のタイミングオフセットを伴って送信するステップを含む、請求項1に記載の方法。
【請求項８】
前記第2の同期信号バーストセットを送信するステップが、前記第2の同期信号バーストセットを第2のタイミングオフセットを伴って送信するステップを含む、請求項7に記載の方法。
【請求項９】
前記第1のタイミングオフセットが、前記第2のタイミングオフセットと異なるかまたは同じであるかのいずれかである、請求項8に記載の方法。
【請求項１０】
システム情報または無線リソース制御(RRC)メッセージを介して、周期値およびタイミングオフセットのうちの少なくとも一方を送信するステップをさらに含む、請求項1に記載の方法。
【請求項１１】
同期信号ブロックの前記第1のセットが、同期信号ブロックの前記第2のセットとは異なる、請求項1に記載の方法。
【請求項１２】
同期信号ブロックの前記第1のセットが、前記同期信号バーストセットの第1の複数の同期信号ブロックのうちの1つであり、
同期信号ブロックの前記第2のセットが、前記同期信号バーストセットの第2の複数の同期信号ブロックのうちの1つであり、
前記第2の複数の同期信号ブロックが、前記第1の複数の同期信号ブロックとは異なる、請求項1に記載の方法。
【請求項１３】
前記第1の同期信号バーストセットを送信するステップが、前記第1の複数の同期信号ブロックを前記第1の周波数上で送信するステップを含み、
前記第2の同期信号バーストセットを送信するステップが、前記第2の複数の同期信号ブロックを前記第2の周波数上で送信するステップを含む、請求項12に記載の方法。
【請求項１４】
前記第2の複数の同期信号ブロックが、前記第1の複数の同期信号ブロックのサブセットである、請求項12に記載の方法。
【請求項１５】
同期信号ブロックの前記第1のセットおよび同期信号ブロックの前記第2のセットの各々が、1次同期信号(PSS)、2次同期信号(SSS)、3次同期信号(TSS)、および物理ブロードキャストチャネル(PBCH)のうちの少なくとも1つに対応する複数の信号を含み、
前記PSS、前記SSS、前記TSSおよび前記PBCHのうちの少なくとも1つを、同じアンテナポートを介してまたは異なるアンテナポートを介して送信するステップを含む、請求項1に記載の方法。
【請求項１６】
ワイヤレス通信のための装置であって、
メモリと、
前記メモリと通信しているプロセッサとを備え、前記プロセッサが、
同期信号ブロックの第1のセットを有する第1の同期信号バーストセットを生成することと、
同期信号ブロックの第2のセットを有する少なくとも1つの第2の同期信号バーストセットを生成することと、
前記第1の同期信号バーストセットを第1の周波数上で送信することと、
前記第2の同期信号バーストセットを第2の周波数上で送信することとを行うように構成される、装置。
【請求項１７】
前記第1の周波数が、前記第2の周波数と異なるかまたは同じであるかのいずれかである、請求項16に記載の装置。
【請求項１８】
前記第1の同期信号バーストセットを前記第1の周波数上で送信するように構成された前記プロセッサが、前記第1の同期信号バーストセットを前記第1の周波数上で、第1の周期値に基づいて周期的に送信するようにさらに構成され、
前記第2の同期信号バーストセットを前記第2の周波数上で送信するように構成された前記プロセッサが、前記第2の同期信号バーストセットを前記第2の周波数上で、第2の周期値に基づいて周期的に送信するようにさらに構成される、請求項16に記載の装置。
【請求項１９】
前記第1の周期値が、前記第2の周期値と異なるかまたは同じであるかのいずれかである、請求項18に記載の装置。
【請求項２０】
前記プロセッサが、システム情報または無線リソース制御(RRC)メッセージを介して、周期値およびタイミングオフセットのうちの少なくとも一方を送信するようにさらに構成される、請求項18に記載の装置。
【請求項２１】
前記第1の周波数および前記第2の周波数が、同じ周波数キャリアまたは異なる周波数キャリアに関連付けられる、請求項16に記載の装置。
【請求項２２】
前記第1の同期信号バーストセットを送信するように構成された前記プロセッサが、前記第1の同期信号バーストセットをタイミングオフセットを伴って送信するようにさらに構成される、請求項16に記載の装置。
【請求項２３】
前記第2の同期信号バーストセットを送信するように構成された前記プロセッサが、前記第2の同期信号バーストセットをタイミングオフセットを伴って送信するようにさらに構成される、請求項16に記載の装置。
【請求項２４】
同期信号ブロックの前記第1のセットが、同期信号ブロックの前記第2のセットとは異なる、請求項16に記載の装置。
【請求項２５】
同期信号ブロックの前記第1のセットが、前記同期信号バーストセットの第1の複数の同期信号ブロックのうちの1つであり、
同期信号ブロックの前記第2のセットが、前記同期信号バーストセットの第2の複数の同期信号ブロックのうちの1つであり、
前記第2の複数の同期信号ブロックが、前記第1の複数の同期信号ブロックとは異なる、請求項16に記載の装置。
【請求項２６】
前記第1の同期信号バーストセットを送信するように構成された前記プロセッサが、前記第1の複数の同期信号ブロックを前記第1の周波数上で送信するようにさらに構成され、
前記第2の同期信号バーストセットを送信するように構成された前記プロセッサが、前記第2の複数の同期信号ブロックを前記第2の周波数上で送信するようにさらに構成される、請求項25に記載の装置。
【請求項２７】
前記第2の複数の同期信号ブロックが、前記第1の複数の同期信号ブロックのサブセットである、請求項25に記載の装置。
【請求項２８】
同期信号ブロックの前記第1のセットおよび同期信号ブロックの前記第2のセットの各々が、1次同期信号(PSS)、2次同期信号(SSS)、3次同期信号(TSS)、および物理ブロードキャストチャネル(PBCH)のうちの少なくとも1つに対応する複数の信号を含み、
前記プロセッサが、前記PSS、前記SSS、前記TSSおよび前記PBCHのうちの少なくとも1つを、同じアンテナポートを介してまたは異なるアンテナポートを介して送信するように構成される、請求項16に記載の装置。
【請求項２９】
ワイヤレス通信のための装置であって、
同期信号ブロックの第1のセットを有する第1の同期信号バーストセットを生成するための手段と、
同期信号ブロックの第2のセットを有する少なくとも1つの第2の同期信号バーストセットを生成するための手段と、
前記第1の同期信号バーストセットを第1の周波数上で送信するための手段と、
前記第2の同期信号バーストセットを第2の周波数上で送信するための手段とを含む、装置。
【請求項３０】
ワイヤレス通信のためのプロセッサによって実行可能なコンピュータコードを記憶するコンピュータ可読記憶媒体であって、
同期信号ブロックの第1のセットを有する第1の同期信号バーストセットを生成するためのコードと、
同期信号ブロックの第2のセットを有する少なくとも1つの第2の同期信号バーストセットを生成するためのコードと、
前記第1の同期信号バーストセットを第1の周波数上で送信するためのコードと、
前記第2の同期信号バーストセットを第2の周波数上で送信するためのコードとを含む、コンピュータ可読記憶媒体。
【発明の詳細な説明】
【技術分野】
【０００１】
関連出願の相互参照
本特許出願は、本出願の譲受人に譲渡され、参照により本明細書に明確に組み込まれる、2018年3月13日に出願された「SYNCHRONIZATION SIGNAL TRANSMISSION IN A NEW RADIO WIRELESS COMMUNICATION SYSTEM」と題する米国非仮出願第15/920,256号、および2017年3月15日に出願された「SYNCHRONIZATION SIGNAL TRANSMISSION IN A NEW RADIO WIRELESS COMMUNICATION SYSTEM」と題する米国仮出願第62/471,704号の優先権を主張する。
【０００２】
本開示の態様は、一般にワイヤレス通信ネットワークに関し、より詳細には、ニューラジオワイヤレス通信システムにおけるセル同期の複雑さを低減する構成可能な同期信号送信に関する。
【背景技術】
【０００３】
ワイヤレス通信ネットワークは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって、複数のユーザとの通信をサポートすることが可能な、多元接続システムであり得る。そのような多元接続システムの例は、符号分割多元接続(CDMA)システム、時分割多元接続(TDMA)システム、周波数分割多元接続(FDMA)システム、直交周波数分割多元接続(OFDMA)システム、およびシングルキャリア周波数分割多元接続(SC-FDMA)システムを含む。
【０００４】
これらの多元接続技術は、異なるワイヤレスデバイスが都市、国家、地域、さらには地球規模で通信することを可能にする共通プロトコルを提供するために、様々な電気通信規格において採用されている。たとえば、(ニューラジオ(NR)と呼ばれることがある)第5世代(5G)ワイヤレス通信技術は、現行のモバイルネットワーク世代に関する多様な使用シナリオおよびアプリケーションを拡張し、サポートするように想定されている。一態様では、5G通信技術は、マルチメディアコンテンツ、サービスおよびデータにアクセスするための人間中心の使用事例に対処する拡張モバイルブロードバンドと、レイテンシおよび信頼性についてのいくつかの仕様を有する超高信頼低レイテンシ通信(URLLC:ultra-reliable-low latency communications)と、非常に多数の被接続デバイスおよび比較的少量の遅延に影響されない情報の送信を可能にすることができるマッシブマシンタイプ通信とを含むことができる。しかしながら、モバイルブロードバンドアクセスに対する需要が増加し続けるにつれて、NR通信技術およびそれ以降におけるさらなる改善が望まれ得る。
【発明の概要】
【発明が解決しようとする課題】
【０００５】
たとえば、NR通信技術およびそれ以降の技術に対して、様々な同期信号送信が議論されてきており、特定の送信の実装はシステムオペレータに任されてきた。したがって、ワイヤレス通信動作における同期シグナリングの効率的な設計が望まれ得る。
【課題を解決するための手段】
【０００６】
以下は、そのような態様の基本的理解を与えるために、1つまたは複数の態様の簡略化された概要を提示する。本概要は、企図されるすべての態様の広範な概要ではなく、すべての態様の主要または重要な要素を特定することも、いずれかまたはすべての態様の範囲を定めることも意図しない。その唯一の目的は、後で提示されるより詳細な説明の導入として、1つまたは複数の態様のいくつかの概念を簡略化された形態で提示することである。
【０００７】
一態様によれば、方法は、ワイヤレス通信のためのセル同期の複雑さを低減する構成可能な同期信号送信を含む。説明する態様は、同期信号の第1のセットを有する第1の同期信号ブロックを生成することを含む。説明する態様は、同期信号の第1のセットとは異なる同期信号の第2のセットを有する少なくとも1つの第2の同期信号ブロックを生成することをさらに含む。説明する態様は、無線フレームの第1の部分の中で第1の同期信号ブロックを送信することをさらに含む。説明する態様は、無線フレームの第2の部分の中で第2の同期信号ブロックを送信することをさらに含み、第2の部分は第1の部分とは異なる。
【０００８】
一態様では、ワイヤレス通信のためのセル同期の複雑さを低減する構成可能な同期信号送信のための装置は、トランシーバと、メモリと、メモリに結合されかつ同期信号の第1のセットを有する第1の同期信号ブロックを生成するように構成された少なくとも1つのプロセッサとを含み得る。説明する態様は、さらに、同期信号の第1のセットとは異なる同期信号の第2のセットを有する少なくとも1つの第2の同期信号ブロックを生成する。説明する態様は、さらに、無線フレームの第1の部分の中で第1の同期信号ブロックを送信する。説明する態様は、さらに、無線フレームの第2の部分の中で第2の同期信号ブロックを送信し、第2の部分は第1の部分とは異なる。
【０００９】
一態様では、ワイヤレス通信のためのセル同期の複雑さを低減する構成可能な同期信号送信のためのコンピュータ実行可能コードを記憶し得るコンピュータ可読媒体について説明する。説明する態様は、同期信号の第1のセットを有する第1の同期信号ブロックを生成するためのコードを含む。説明する態様は、同期信号の第1のセットとは異なる同期信号の第2のセットを有する少なくとも1つの第2の同期信号ブロックを生成するためのコードをさらに含む。説明する態様は、無線フレームの第1の部分の中で第1の同期信号ブロックを送信するためのコードをさらに含む。説明する態様は、無線フレームの第2の部分の中で第2の同期信号ブロックを送信するためのコードをさらに含み、第2の部分は第1の部分とは異なる。
【００１０】
一態様では、ワイヤレス通信のためのセル同期の複雑さを低減する構成可能な同期信号送信のための装置について説明する。説明する態様は、同期信号の第1のセットを有する第1の同期信号ブロックを生成するための手段を含む。説明する態様は、同期信号の第1のセットとは異なる同期信号の第2のセットを有する少なくとも1つの第2の同期信号ブロックを生成するための手段をさらに含む。説明する態様は、無線フレームの第1の部分の中で第1の同期信号ブロックを送信するための手段をさらに含む。説明する態様は、無線フレームの第2の部分の中で第2の同期信号ブロックを送信するための手段をさらに含み、第2の部分は第1の部分とは異なる。
【００１１】
一態様によれば、方法は、ワイヤレス通信のためのセル同期の複雑さを低減する構成可能な同期信号送信を含む。説明する態様は、同期信号ブロックの第1のセットを有する第1の同期信号バーストセットを生成することを含む。説明する態様は、同期信号ブロックの第2のセットを有する少なくとも1つの第2の同期信号バーストセットを生成することをさらに含む。説明する態様は、第1の周波数上で第1の同期信号バーストセットを送信することをさらに含む。説明する態様は、第2の周波数上で第2の同期信号バーストセットを送信することをさらに含む。
【００１２】
一態様では、ワイヤレス通信のためのセル同期の複雑さを低減する構成可能な同期信号送信のための装置は、トランシーバと、メモリと、メモリに結合されて同期信号ブロックの第1のセットを有する第1の同期信号バーストセットを生成するように構成された少なくとも1つのプロセッサとを含み得る。説明する態様は、同期信号ブロックの第2のセットを有する少なくとも1つの第2の同期信号バーストセットをさらに生成する。説明する態様は、第1の周波数上で第1の同期信号バーストセットをさらに送信する。説明する態様は、第2の周波数上で第2の同期信号バーストセットをさらに送信する。
【００１３】
一態様では、ワイヤレス通信のためのセル同期の複雑さを低減する構成可能な同期信号送信のためのコンピュータ実行可能コードを記憶し得るコンピュータ可読媒体について説明する。説明する態様は、同期信号ブロックの第1のセットを有する第1の同期信号バーストセットを生成するためのコードを含む。説明する態様は、同期信号ブロックの第2のセットを有する少なくとも1つの第2の同期信号バーストセットを生成するためのコードをさらに含む。説明する態様は、第1の周波数上で第1の同期信号バーストセットを送信するためのコードをさらに含む。説明する態様は、第2の周波数上で第2の同期信号バーストセットを送信するためのコードをさらに含む。
【００１４】
一態様では、ワイヤレス通信のためのセル同期の複雑さを低減する構成可能な同期信号送信のための装置について説明する。説明する態様は、同期信号ブロックの第1のセットを有する第1の同期信号バーストセットを生成するための手段を含む。説明する態様は、同期信号ブロックの第2のセットを有する少なくとも1つの第2の同期信号バーストセットを生成するための手段をさらに含む。説明する態様は、第1の周波数上で第1の同期信号バーストセットを送信するための手段をさらに含む。説明する態様は、第2の周波数上で第2の同期信号バーストセットを送信するための手段をさらに含む。
【００１５】
上記の目的および関係する目的の達成のために、1つまたは複数の態様は、以下で十分に説明されるとともに特許請求の範囲において特に指摘される特徴を備える。以下の説明および添付の図面は、1つまたは複数の態様のいくつかの例示的な特徴を詳細に記載する。しかしながら、これらの特徴は、様々な態様の原理が採用され得る様々な方法のうちのいくつかを示すにすぎず、この説明は、そのようなすべての態様およびそれらの均等物を含むものとする。
【００１６】
開示する態様について、開示する態様を限定するためではなく例示するために提供される添付の図面に関して以下で説明し、同様の名称は同様の要素を示している。
【図面の簡単な説明】
【００１７】
【図１】セル同期の複雑を低減するために構成可能な同期信号送信を生成するように構成された同期構成要素を有する少なくとも1つの基地局を含むワイヤレス通信ネットワークの概略図である。
【図２】各々が複数の同期信号ブロックを含む複数の同期信号バーストを有する同期信号バーストセットの例示的な同期信号階層方式の概念図である。
【図３】例示的なベースライン同期信号送信方式の概念図である。
【図４】例示的な非対称同期信号送信方式の概念図である。
【図５】例示的な複数周波数同期信号バーストセット送信方式の概念図である。
【図６】例示的な複数周波数同期信号送信方式の概念図である。
【図７】別の例示的な複数周波数同期信号送信方式の概念図である。
【図８】例示的な千鳥状配置型の(staggered)複数周波数同期信号送信方式の概念図である。
【図９】ネットワークエンティティにおけるワイヤレス通信の方法の一例の流れ図である。
【図１０】ネットワークエンティティにおけるワイヤレス通信の別の方法の一例の流れ図である。
【図１１】図1のUEの例示的な構成要素の概略図である。
【図１２】図1の基地局の例示的な構成要素の概略図である。
【発明を実施するための形態】
【００１８】
次に、図面を参照しながら様々な態様について説明する。以下の説明では、説明の目的で、1つまたは複数の態様の完全な理解を与えるために、多数の具体的な詳細が記載されている。しかしながら、そのような態様がこれらの具体的な詳細なしに実践される場合があることは明らかであろう。加えて、本明細書で使用する「構成要素」という用語は、システムを構成する部品の1つであってもよく、ハードウェア、ファームウェア、および/またはコンピュータ可読媒体上に記憶されるソフトウェアであってもよく、他の構成要素に分割されてもよい。
【００１９】
本開示は、一般に、ワイヤレス通信システムにおける同期信号送信に関する。
【００２０】
一例では、同期信号送信周期は、UE状態に依存する。UEが初期アクセスであるとき(たとえば、UEが電源を入れたときまたはカバレージ外から復帰したとき)、同期信号送信周期が固定され得る。周期は、10ミリ秒(ms)または20msのいずれかであり得る。他のUE状態(たとえば、アイドル状態または接続モード状態)では、ネットワークが、UEに対する周波数キャリアあたりに1つの同期信号バーストセット周期情報と測定タイミングおよび/または持続時間を導出するための情報とを提供する場合、5G/NRは、適応およびネットワーク表示に対する同期信号バーストセット周期値の異なるセットをサポートし得る。たとえば、候補周期値は、限定はしないが、5、10、20、40、80および/または160msを含み得る。いくつかの例では、UEが測定窓および周期で構成されない場合、UEは、ベースライン同期シグナリング設計に基づいて、5msの同期信号周期を仮定してもよい。
【００２１】
しかしながら、多くの配置では、同期信号周期は、無線フレーム持続時間の整数倍(たとえば、10msの倍数)であり得る。すなわち、5msの同期信号周期を有する配置は、より低い頻度で発生し得る。そのようなものとして、上述の5ms同期信号周期仮説は、UEにおいて、不必要に複雑な同期シグナリング設計および不必要に複雑な同期信号検出アルゴリズムをもたらす場合がある。
【００２２】
この問題に対処するために、本態様は、セル同期の複雑さを低減するために構成可能な同期信号送信を提供する。
【００２３】
一態様では、ネットワークは、同期信号の異なるセットを非対称に送信してもよい。たとえばネットワークは、同期信号の第1のセットを有する第1の同期信号ブロックを生成し、同期信号の第1のセットとは異なる同期信号の第2のセットを有する少なくとも1つの第2の同期信号ブロックを生成し、第1の同期信号ブロックを無線フレームの第1の部分の中で送信し、第2の同期信号ブロックを無線フレームの第2の部分の中で送信してもよく、第2の部分は第1の部分とは異なる。
【００２４】
さらに、別の態様では、ネットワークは、同期信号の同じまたは異なるセットを異なる周波数上で送信してもよい。たとえば、本態様は、同期信号の第1のセットを有する第1の同期信号ブロックを生成することと、同期信号の第2のセットを有する少なくとも1つの第2の同期信号ブロックを生成することと、第1の同期信号ブロックを第1の周波数上で送信することと、第2の同期信号ブロックを第2の周波数上で送信することとを含み得る。
【００２５】
本態様の追加の特徴は、図1〜図12に関して以下でより詳細に説明される。
【００２６】
本明細書で説明する技法は、CDMA、TDMA、FDMA、OFDMA、SC-FDMA、および他のシステムなどの様々なワイヤレス通信ネットワークのために使用され得ることに留意されたい。「システム」および「ネットワーク」という用語は、しばしば、互換的に使用される。CDMAシステムは、CDMA2000、ユニバーサル地上波無線アクセス(UTRA)などの無線技術を実装してよい。CDMA2000は、IS-2000規格、IS-95規格、およびIS-856規格を対象とする。IS-2000リリース0およびAは一般に、CDMA2000 1X、1Xなどと呼ばれる。IS-856(TIA-856)は、通常、CDMA2000 1xEV-DO、High Rate Packet Data (HRPD)などと呼ばれる。UTRAは、Wideband CDMA(WCDMA(登録商標))およびCDMAの他の変形を含む。TDMAシステムは、Global System for Mobile Communications(GSM(登録商標))などの無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDM(商標)などの無線技術を実装してもよい。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するUMTSの新しいリリースである。UTRA、E-UTRA、UMTS、LTE、LTE-AおよびGSM(登録商標)は、「第3世代パートナーシッププロジェクト」(3GPP)と称する団体による文書に記載されている。CDMA2000およびUMBは、「第3世代パートナーシッププロジェクト2」(3GPP2)と称する団体による文書に記載されている。本明細書で説明する技法は、上述のシステムおよび無線技術、ならびに共有無線周波数スペクトル帯域を介したセルラー(たとえば、LTE)通信を含む、他のシステムおよび無線技術に使用され得る。しかしながら、以下の説明は、例としてLTE/LTE-Aシステムについて説明し、以下の説明の大半においてLTE用語が使用されるが、本技法は、LTE/LTE-A適用例以外に、たとえば、5GネットワークすなわちNRネットワーク、または他の次世代通信システムに適用可能である。
【００２７】
以下の説明は例を提供するものであり、特許請求の範囲に記載される範囲、適用可能性、または例を限定するものではない。本開示の範囲から逸脱することなく、説明する要素の機能および構成に変更が加えられることがある。様々な例は、必要に応じて、様々な手順または構成要素を省略し、置換し、または追加することがある。たとえば、説明する方法は、説明する方法とは異なる順序で実行されることがあり、様々なステップが追加され、省略され、または結合されることがある。また、いくつかの例に関して説明する特徴が、他の例では組み合わされることがある。
【００２８】
図1を参照すると、本開示の様々な態様によれば、例示的なワイヤレス通信ネットワーク100は、少なくとも1つのUE110と、セル同期の複雑さを低減するために構成可能な同期信号送信を可能にする同期構成要素170を有するモデム160を有する少なくとも1つの基地局105とを含む。一実装形態では、たとえば、基地局105は、同期信号の異なるセットを非対称に送信するために同期構成要素170を実行し得る。別の実装形態では、たとえば、基地局105は、同期信号の同じセットまたは異なるセットを異なる周波数上で送信するために同期構成要素170を実行し得る。
【００２９】
一態様では、UE110は、同期信号のセットを受信する同期構成要素150を有するモデム140を含み得る。たとえば、基地局105および/または同期構成要素170は、同期信号バーストセットの周期の値と、タイミングオフセットの値と、どの同期信号ブロックが同期信号バーストセット内に含まれるかに関する表示とを含む同期情報を生成して、UE110および/または同期構成要素150に送信し得る。基地局105および/または同期構成要素170は、国際モバイル加入者識別情報(IMSI:International Mobile Subscriber Identity)および/またはオープンシステム相互接続(OSI:Open System Interconnection)などのシステム情報内の同期情報を送信し得る。別の実装形態では、基地局105および/または同期構成要素170は、同期情報を無線リソース接続(RRC:Radio Resource Connection)メッセージ内で接続状態の間に送信し得る。
【００３０】
したがって、本開示によれば、基地局105は、1つまたは複数のUEをネットワーク100と同期させるために、UE110などの1つまたは複数のUEに、同期信号を非対称に送信するか、または同期信号の同じかまたは異なるセットを異なる周波数上で送信するかのいずれかであり得る。
【００３１】
同期信号の異なるセットを非対称に送信する一態様では、同期構成要素170は、同期信号の第1のセットを有する第1の同期信号ブロック184を生成するように構成され得る生成構成要素180を含んでもよく、同期信号の第1のセットとは異なる同期信号の第2のセットを有する少なくとも1つの第2の同期信号ブロック184を生成してもよい。一例では、第1の同期信号ブロック184および第2の同期信号ブロック184は、単一のバーストセット182内に含まれ得る。別の例では、第1の同期信号ブロック184および第2の同期信号ブロック184は、個別のバーストセット182内に含まれ得る。
【００３２】
いくつかの事例では、同期信号の第2のセットは、同期信号の第1のセットのサブセットである。たとえば、同期信号の第1のセットは、1次同期信号(PSS)および2次同期信号(SSS)を含む。さらに、PSSは、SSSの代わりにフレームタイミングをシグナリングするように構成される。
【００３３】
いくつかの事例では、同期信号の第1のセットおよび同期信号の第2のセットの各々は、PSS、SSS、3次同期信号(TSS)、および物理ブロードキャストチャネル(PBCH)のうちの少なくとも1つを含む。
【００３４】
いくつかの事例では、同期構成要素170は、無線フレームの第1の部分の中で第1の同期信号ブロック184を送信しかつ無線フレームの第2の部分の中で第2の同期信号ブロック184を送信するために、トランシーバ1202(図12)などのトランシーバを構成し得る。一例では、第2の部分は、第1の部分とは異なる。さらなる一例では、第1の部分は、第2の部分の前の時間において発生する。
【００３５】
いくつかの事例では、同期構成要素170は、第1の同期信号ブロック184を、アンテナ1265など、同じまたは異なる1つまたは複数のアンテナポートを介して送信するために、トランシーバ1202(図12)などのトランシーバを構成し得る。さらに、同期構成要素170は、第2の同期信号ブロック184を、アンテナ1265など、同じまたは異なる1つまたは複数のアンテナポートを介して送信するために、トランシーバ1202などのトランシーバを構成し得る。
【００３６】
いくつかの事例では、同期構成要素170は、同期信号をUE110などの1つまたは複数のUEに周期的に送信するように構成され得る。たとえば、同期構成要素170は、同期信号の第1のセットを有する第1の同期信号ブロック184を生成するように構成され得る生成構成要素180を含んでもよく、同期信号の第2のセットを有する少なくとも1つの第2の同期信号ブロック184を生成してもよい。一例では、同期信号の第1のセットは、同期信号の第2のセットとは異なる。
【００３７】
いくつかの事例では、第1の同期信号ブロック184は、バーストセット182の第1の複数の同期信号ブロックのうちの1つである。第2の同期信号ブロック184は、バーストセット182の第2の複数の同期信号ブロックのうちの1つである。一例では、第2の複数の同期信号ブロックは、第1の複数の同期信号ブロックとは異なる。別の例では、第2の複数の同期信号ブロックは、第1の複数の同期信号ブロックのサブセットである。
【００３８】
同期信号の同じまたは異なるセットを複数の周波数上で送信する一態様では、同期構成要素170は、第1の同期信号ブロック184を第1の周波数上で送信しかつ第2の同期信号ブロック184を第2の周波数上で送信するために、トランシーバ1202(図12)などのトランシーバおよび/またはアンテナ1265を構成し得る。場合によっては、第1の周波数および第2の周波数は、同じキャリア周波数帯域内にあってもよいが、他の場合には、それらは異なるキャリア周波数帯域にあってもよい。したがって、UE110および/またはモデム140は、第1の同期信号ブロック184を第1の周波数上で受信しかつ第2の同期信号ブロック184を第2の周波数上で送信するために、トランシーバ1102(図11)および/またはアンテナ1165を実行し得る。
【００３９】
いくつかの事例では、同期構成要素170は、第1の周期で送信することによって第1の同期信号ブロック184を送信しかつ第1の周期とは異なる第2の周期で送信することによって第2の同期信号ブロック184を送信するために、トランシーバ1202(図12)などのトランシーバおよび/またはアンテナ1265を構成し得る。別の態様では、同期構成要素170は、第1の周期で送信することによって第1の同期信号ブロック184を送信しかつ第1の周期と同じ第2の周期で送信することによって第2の同期信号ブロック184を送信するために、トランシーバ1202などのトランシーバを構成し得る。したがって、UE110および/またはモデム140は、第1の同期信号ブロック184を第1の周期で受信しかつ第2の同期信号ブロック184を第2の周期で受信するために、トランシーバ1102(図11)および/またはアンテナ1165を実行し得る。
【００４０】
いくつかの事例では、同期構成要素170は、時間窓内で第2の同期信号ブロック184の送信に対して第1の同期信号ブロック184の送信を千鳥状に配置するように、トランシーバ1202(図12)などのトランシーバおよび/またはアンテナ1265を構成し得る。したがって、UE110および/またはモデム140は、時間窓内で第1の同期信号ブロック184および第2の同期信号ブロック184の千鳥状配置型の送信を受信するために、トランシーバ1102(図11)および/またはアンテナ1165を実行し得る。
【００４１】
いくつかの事例では、同期構成要素170は、第1の複数の同期信号ブロックをキャリア周波数帯域内の第1の周波数上で送信するように、トランシーバ1202(図12)などのトランシーバおよび/またはアンテナ1265を構成し得る。さらに、同期構成要素170は、第2の複数の同期信号ブロックをキャリア周波数帯域内の第2の周波数上で送信することによって第2の同期信号ブロックを送信するように、トランシーバ1202などのトランシーバを構成し得る。したがって、UE110および/またはモデム140は、複数の同期信号ブロックをキャリア周波数帯域内の第1の周波数内で受信しかつ第2の複数の同期信号ブロックをキャリア周波数帯域内の第2の周波数上で受信するように、トランシーバ1102(図11)および/またはアンテナ1165を実行し得る。
【００４２】
いくつかの事例では、同期信号の第1のセットおよび同期信号の第2のセットの各々は、PSS、SSS、3次同期信号(TSS)、および物理ブロードキャストチャネル(PBCH)のうちの少なくとも1つを含む。いくつかの事例では、同期構成要素170は、アンテナ1265の同じまたは異なるポートなど、同じアンテナポートまたは異なるアンテナポートを介してPSS、SSS、TSSおよびPBCHを送信するように、トランシーバ1202(図12)などのトランシーバおよび/またはアンテナ1265を構成し得る。さらに、いくつかの事例では、基地局105は、信号(たとえば、PSS、SSS、TSS、PBCH)のサブセットを同じアンテナポートを介して送信し得る。したがって、UE110および/またはモデム140は、PSS、SSS、TSSおよびPBCHを受信するために、トランシーバ1102(図11)および/またはアンテナ1165を実行し得る。
【００４３】
ワイヤレス通信ネットワーク100は、1つまたは複数の基地局105と、1つまたは複数のUE110と、コアネットワーク115とを含み得る。コアネットワーク115は、ユーザ認証、アクセス許可、トラッキング、インターネットプロトコル(IP)接続性、および他のアクセス機能、ルーティング機能、またはモビリティ機能を提供し得る。基地局105は、バックホールリンク120(たとえば、S1など)を通してコアネットワーク115とインターフェースしてもよい。基地局105は、UE110との通信のための無線構成およびスケジューリングを実行し得るか、または基地局コントローラ(図示せず)の制御下で動作し得る。様々な例では、基地局105は、ワイヤード通信リンクまたはワイヤレス通信リンクであり得るバックホールリンク125(たとえば、X1など)を介して、直接的または間接的のいずれかで(たとえば、コアネットワーク115を通して)、互いに通信し得る。
【００４４】
基地局105は、1つまたは複数の基地局アンテナを介してUE110とワイヤレス通信し得る。基地局105の各々は、それぞれの地理的カバレージエリア130に通信カバレージを提供し得る。いくつかの例では、基地局105は、基地トランシーバ局、無線基地局、アクセスポイント、アクセスノード、無線トランシーバ、ノードB、eノードB(eNB)、gノードB(gNB)、ホームノードB、ホームeノードB、リレー、または何らかの他の適切な用語で呼ばれることがある。基地局105のための地理的カバレージエリア130は、カバレージエリアの一部分のみを構成するセクタまたはセル(図示せず)に分割され得る。ワイヤレス通信ネットワーク100は、異なるタイプの基地局105(たとえば、以下で説明するマクロ基地局またはスモールセル基地局)を含み得る。加えて、複数の基地局105は、複数の通信技術(たとえば、5G(ニューラジオまたは「NR」)、第4世代(4G)/LTE、3G、Wi-Fi、Bluetooth(登録商標)など)のうちの異なる通信技術に従って動作することがあり、したがって、異なる通信技術のための重複する地理的カバレージエリア130があり得る。
【００４５】
いくつかの例では、ワイヤレス通信ネットワーク100は、ニューラジオ(NR)すなわち5G技術、ロングタームエボリューション(LTE)もしくはLTEアドバンスト(LTE-A)またはMuLTEfire技術、Wi-Fi技術、Bluetooth(登録商標)技術、または任意の他の長距離または短距離のワイヤレス通銀技術を含む通信技術のうちの1つまたは何らかの組合せであってよいか、またはそれを含んでよい。LTE/LTE-A/MuLTEfireネットワークでは、発展型ノードB(eNB)という用語は、一般に基地局105を表すために使用され得るが、UEという用語は、一般にUE110を表すために使用され得る。ワイヤレス通信ネットワーク100は、異なるタイプのeNBが様々な地理的領域にカバレージを提供する異種技術ネットワークであり得る。たとえば、各eNBまたは基地局105は、マクロセル、スモールセル、または他のタイプのセルに通信カバレージを提供し得る。「セル」という用語は、文脈に応じて、基地局、基地局に関連するキャリアもしくはコンポーネントキャリア、またはキャリアもしくは基地局のカバレージエリア(たとえば、セクタなど)を表すために使用され得る、3GPP用語である。
【００４６】
マクロセルは、一般に、比較的大きい地理的エリア(たとえば、半径数キロメートル)をカバーすることがあり、ネットワークプロバイダとのサービスに加入しているUE110による無制限のアクセスを可能にし得る。
【００４７】
スモールセルは、マクロセルと比較すると、マクロセルと同じまたはマクロセルとは異なる(たとえば、認可、無認可などの)周波数帯域で動作し得る比較的低い送信電力基地局を含み得る。スモールセルは、様々な例によれば、ピコセル、フェムトセル、およびマイクロセルを含む場合がある。ピコセルは、たとえば、小さい地理的エリアをカバーし得、ネットワークプロバイダのサービスに加入しているUE110による無制限アクセスを可能にし得る。フェムトセルはまた、小さい地理的エリア(たとえば、自宅)をカバーし得、フェムトセルとの関連を有するUE110(たとえば、制限されたアクセスの場合、自宅内のユーザのためのUE110を含み得る、基地局105の限定加入者グループ(CSG:closed subscriber group)内のUE110など)による制限付きアクセスおよび/または無制限アクセスを提供し得る。マイクロセルは、ピコセルおよびフェムトセルよりも大きいが、マクロセルよりは小さな地理的エリアをカバーし得る。マクロセルのためのeNBは、マクロeNBと呼ばれることがある。スモールセルのためのeNBは、スモールセルeNB、ピコeNB、フェムトeNB、またはホームeNBと呼ばれ得る。eNBは、1つまたは複数の(たとえば、2つ、3つ、4つなどの)セル(たとえば、コンポーネントキャリア)をサポートすることがある。
【００４８】
様々な開示する例のうちのいくつかに適応し得る通信ネットワークは、階層化プロトコルスタックに従って動作するパケットベースネットワークであり得、ユーザプレーンにおけるデータは、IPに基づき得る。ユーザプレーンプロトコルスタック(たとえば、パケットデータコンバージェンスプロトコル(PDCP)、無線リンク制御(RLC)、MACなど)は、論理チャネルを介して通信するためにパケットセグメンテーションおよびリアセンブリを実行し得る。たとえば、MACレイヤは、優先処理と、トランスポートチャネルへの論理チャネルの多重化とを実行し得る。MACレイヤはまた、リンク効率を改善するために、ハイブリッド自動再送要求(HARQ)を使用してMACレイヤにおける再送信を行ってよい。制御プレーンでは、RRCプロトコルレイヤは、UE110と基地局105との間のRRC接続の確立と構成と維持とを行い得る。RRCプロトコルレイヤはまた、ユーザプレーンデータのための無線ベアラのコアネットワーク115サポートに使用されてもよい。物理(PHY)レイヤにおいて、トランスポートチャネルは物理チャネルにマッピングされてもよい。
【００４９】
UE110は、ワイヤレス通信ネットワーク100全体にわたって分散している場合があり、各UE110は固定またはモバイルである場合がある。UE110は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語も含むか、あるいはそのように当業者によって呼ばれることもある。UE110は、セルラーフォン、スマートフォン、携帯情報端末(PDA)、ワイヤレスモデム、ワイヤレス通信デバイス、ハンドヘルドデバイス、タブレットコンピュータ、ラップトップコンピュータ、コードレスフォン、スマートウォッチ、ワイヤレスローカルループ(WLL)局、エンターテイメントデバイス、車両の部品、顧客構内機器(CPE)、またはワイヤレス通信ネットワーク100において通信することができる任意のデバイスであり得る。加えて、UE110は、いくつかの態様では、ワイヤレス通信ネットワーク100または他のUEとまれに通信し得る、モノのインターネット(IoT)および/またはマシンツーマシン(M2M)タイプのデバイス、たとえば、低電力、低データレート(たとえば、ワイヤレスフォンと比較して)タイプのデバイスであり得る。UE110は、マクロeNB、スモールセルeNB、マクロgNB、スモールセルgNB、中継基地局などを含む、様々なタイプの基地局105およびネットワーク機器と通信することが可能な場合がある。
【００５０】
UE110は、1つまたは複数の基地局105と1つまたは複数のワイヤレス通信リンク135を確立するように構成され得る。ワイヤレス通信ネットワーク100内に示されているワイヤレス通信リンク135は、UE110から基地局105へのアップリンク(UL)送信、または基地局105からUE110へのダウンリンク(DL)送信を搬送し得る。ダウンリンク送信は、順方向リンク送信と呼ばれることもあり、アップリンク送信は、逆方向リンク送信と呼ばれることもある。各ワイヤレス通信リンク135は、1つまたは複数のキャリアを含むことがあり、各キャリアは、上記で説明した様々な無線技術に従って変調された複数のサブキャリア(たとえば、異なる周波数の波形信号)から構成される信号であり得る。各被変調信号は、異なるサブキャリア上で送られてもよく、制御情報(たとえば、基準信号、制御チャネルなど)、オーバーヘッド情報、ユーザデータなどを搬送し得る。一態様では、ワイヤレス通信リンク135は、周波数分割複信(FDD)動作を使用して(たとえば、対スペクトルリソースを使用して)または時分割複信(TDD)動作を使用して(たとえば、不対スペクトルリソースを使用して)双方向通信を送信し得る。フレーム構造が、FDD(たとえば、フレーム構造タイプ1)およびTDD(たとえば、フレーム構造タイプ2)のために定義され得る。その上、いくつかの態様では、ワイヤレス通信リンク135は、1つまたは複数のブロードキャストチャネルを表し得る。
【００５１】
ワイヤレス通信ネットワーク100のいくつかの態様では、基地局105またはUE110は、アンテナダイバーシティ方式を採用して基地局105とUE110との間の通信品質および信頼性を改善するための複数のアンテナを含み得る。追加または代替として、基地局105またはUE110は、同じまたは異なるコード化データを搬送する複数の空間レイヤを送信するためにマルチパス環境を利用し得る、多入力多出力(MIMO)技法を採用し得る。
【００５２】
ワイヤレス通信ネットワーク100は、複数のセルまたはキャリア上での動作、すなわち、キャリアアグリゲーション(CA)またはマルチキャリア動作と呼ばれることがある特徴をサポートし得る。キャリアはまた、コンポーネントキャリア(CC)、レイヤ、チャネルなどと呼ばれ得る。「キャリア」、「コンポーネントキャリア」、「セル」、および「チャネル」という用語は、本明細書では互換的に使用され得る。UE110は、キャリアアグリゲーションのために、複数のダウンリンクCCと1つまたは複数のアップリンクCCとで構成され得る。キャリアアグリゲーションは、FDDコンポーネントキャリアとTDDコンポーネントキャリアの両方とともに使用され得る。基地局105およびUE110は、各方向における送信に使用される合計YxMHz(x=コンポーネントキャリアの数)までのキャリアアグリゲーションにおいて割り振られた、キャリア当たりY MHz(たとえば、Y=5、10、15、または20MHz)までの帯域幅のスペクトルを使用することができる。キャリアは、互いに隣接することも、隣接しないこともある。キャリアの割振りは、DLおよびULに対して非対称であることがある(たとえば、DLに対して、ULよりも多数または少数のキャリアが割り振られることがある)。コンポーネントキャリアは、1次コンポーネントキャリア、および1つまたは複数の2次コンポーネントキャリアを含んでよい。1次コンポーネントキャリアは1次セル(PCell)と呼ばれることがあり、2次コンポーネントキャリアは2次セル(SCell)と呼ばれることがある。
【００５３】
ワイヤレス通信ネットワーク100は、無認可周波数スペクトル(たとえば、5GHz)における通信リンクを介して、Wi-Fi技術に従って動作するUE110、たとえば、Wi-Fi局(STA)と通信している、Wi-Fi技術に従って動作する基地局105、たとえば、Wi-Fiアクセスポイントをさらに含み得る。無認可周波数スペクトル内で通信するとき、STAおよびAPは、チャネルが利用可能であるかどうかを判定するために、通信するのに先立ってクリアチャネルアセスメント(CCA)またはリッスンビフォアトーク(LBT)手順を実行することができる。
【００５４】
加えて、基地局105および/またはUE110のうちの1つまたは複数は、ミリメートル波(mmWまたはmmwave)技術と呼ばれるNRまたは5G技術に従って動作し得る。たとえば、mmW技術は、mmW周波数および/または準mmW周波数での送信を含む。極高周波(EHF:extremely high frequency)は、電磁スペクトル内の無線周波数(RF)の一部である。EHFは、30GHzから300GHzの範囲および1ミリメートルから10ミリメートルの間の波長を有する。この帯域における電波は、ミリメートル波と呼ばれることがある。準mmWは、100ミリメートルの波長を有し、3GHzの周波数まで及ぶことがある。たとえば、超高周波(SHF:super high frequency)帯域は、3GHzから30GHzの間に及び、センチメートル波と呼ばれることもある。mmWおよび/または準mmW無線周波数帯域を使用する通信は、極めて高い経路損失および短い距離を有する。したがって、mmW技術に従って動作する基地局105および/またはUE110は、極めて高い経路損失および短い距離を補償するためにその送信においてビームフォーミングを利用することができる。
【００５５】
図2を参照すると、各々が1つまたは複数の同期信号ブロック206を有する複数の同期信号バースト204を含む同期信号バーストセット202を送信するために基地局105によって使用される同期信号階層方式200の概念図が説明される。たとえば、同期信号階層200は、複数の同期信号バースト204(たとえば、SSバースト0、SSバースト1、SSバースト[b-1])を含むバーストセット182と同様の同期信号バーストセット202を含む。一態様では、各同期信号バーストセット202は、あらかじめ規定された周期で繰り返され得る。各同期信号バースト204は、同期信号ブロック184と同様の、1つまたは複数の同期信号ブロック206(たとえば、SSブロック0、SSブロック1、SSブロック((
【数１】
2020510349.tif 000003
)))を含む。
【００５６】
各同期信号ブロック206は、PSS、SSS、TSSおよびPBCHのうちの少なくとも1つを含み得る。PSSは、シンボルタイミングをシグナリングするために構成され得る。SSSは、物理セルIDをシグナリングするため、PBCH復調基準信号(DMRS:demodulation reference signal)として働くため、および無線リソース測定(RRM:radio resource measurement)をサポートするために構成され得る。TSSは、同期信号ブロックインデックスをシグナリングするために構成され得る。PBCHは、初期アクセス手順において、UE110などのUEをサポートするために最小システム情報をシグナリングするために構成され得る。
【００５７】
一態様では、基地局105は、PSS、SSS、TSSおよびPBCHを、同じアンテナポートを介してまたは異なるアンテナポートを介して送信し得る。さらに、いくつかの事例では、基地局105は、信号(たとえば、PSS、SSS、TSS、PBCH)のサブセットを同じアンテナポートを介して送信し得る。
【００５８】
たとえば、基地局105は、同期信号バーストセットを、UE110の状態に依存する周期で送信し得る。たとえば、UE110が初期アクセス中であるとき(たとえば、UEが電源を入れたときまたはカバレージ外から復帰したとき)、同期信号送信周期が固定され得る。一例では、周期は、10msまたは20msのいずれかであり得る。他のUE状態(たとえば、アイドルまたは被接続)では、基地局105は、UE110に対する周波数キャリアごとに1つの同期信号バーストセット周期情報を、測定タイミングおよび/または持続時間を導出するための情報と一緒に提供し得る。多くの事例では、UE110が測定窓および周期で構成されない場合、UE110は、ベースライン同期シグナリング設計に基づいて、5msの同期信号周期を仮定してもよい。
【００５９】
図3を参照すると、ベースライン同期シグナリング設計によるベースライン同期信号送信のための送信方式300の概念図が説明される。たとえば、送信方式300は、複数の無線フレーム302、304を含んでもよく、あらかじめ規定された10msの長さは、5msの長さの第1の部分306と5msの長さの第2の部分308とに分割される。
【００６０】
1つまたは複数のプリアンブル310、314、318は、各無線フレーム302、304の第1の部分(たとえば、プリアンブル310に対する第1の部分306)の中で送信され得る。一態様では、プリアンブル310、314、318は、PSSおよびSSSを含み得る。さらに、1つまたは複数のミッドアンブル312、316、320は、各無線フレーム302、304の第2の部分308内で送信され得る。一態様では、ミッドアンブル312、316、320は、PSSおよびSSSを含み得る。たとえば、SSSは、無線フレームタイミングをシグナリングするように構成され得る。一例では、無線フレーム302の第1の部分306内のSSS送信および無線フレーム302の第2の部分308内のSSS送信は、異なる場合がある。
【００６１】
しかしながら、5G/NRは、適応およびネットワーク表示に対する同期信号バーストセット周期値の異なるセットをサポートし得る。たとえば、候補周期値は、限定はしないが、5、10、20、40、80および160msを含み得る。
【００６２】
図4を参照すると、NRワイヤレスネットワーク内の効率的動作のための非対称同期信号送信のための送信方式400の概念図が説明される。たとえば、送信方式400は、複数の無線フレーム402、404を含んでもよく、あらかじめ規定された10msの長さは、5msの長さの第1の部分406と5msの長さの第2の部分408とに分割される。
【００６３】
送信方式400は、非対称同期信号送信を利用する。なぜならば、大部分の配置は、無線フレーム持続時間(たとえば、10ms)の整数倍である同期信号バーストセット周期を利用してもよく、したがって、5msの同期信号バーストセット周期を有する配置は、まれにしか発生しないからである。5msの同期信号バーストセット周期を有する配置をサポートするが、複雑さを低減するために、シグナリングのサブセットが、5msの周期で送信され得る。一態様では、たとえば、基地局105は、プリアンブル410、414、418内で、たとえば各無線フレームの第1の部分の中でPSSとSSSの両方を送信し、ミッドアンブル412、416、420内で、たとえば各無線フレームの第2の部分の中でSSSを送信するように構成され得る。言い換えれば、PSSは、無線フレーム(たとえば、無線フレーム402)の第2の部分(たとえば、第2の部分408)の中の送信から省略または除外される。一例では、同じSSSは、無線フレームの第2の部分の各々の中で送信され得る。さらなる一例では、PSSは、SSSの代わりにフレームタイミングをシグナリングするために使用され得る。その結果、送信方式400は、SSS検出があまり複雑でないという利益を提供し得る。なぜならば、SS周期にかかわらず、フレームタイミングを検出するためにミッドアンブルSSSを検出する必要がないからである。
【００６４】
図5を参照すると、異なる周期およびタイミングオフセットを有する複数周波数同期信号バーストセット送信のための送信方式500の概念図が説明される。たとえば、送信方式500は、経時的に異なる周波数510、520上の複数の同期信号バーストセット504、514の送信を、タイミングオフセットとともに表す。異なる周波数510、520は、同じキャリア周波数帯域内にあってもよく、または異なるキャリア周波数帯域(たとえば、キャリアアグリゲーション)内にあってもよい。
【００６５】
一態様では、周波数510において、基地局105などの基地局は、複数の同期信号バーストセット504を同期信号周期502で送信し得る。たとえば、各同期信号バーストセット504は、同期信号ブロック0 506〜同期信号ブロックN-1 508など、複数の同期信号ブロックからなる場合がある。本明細書でさらに説明するように、同期信号周期502での同期信号バーストセット504の反復送信は、同期信号周期502での同期信号ブロック0 506の反復送信、および同期信号周期502での同期信号ブロックN-1 508の反復送信に対応する。一例では、図5に示すように、同期信号ブロック0 506の第1の送信と同期信号ブロック0 506の第2の送信との間の周期は、同期信号周期502に対応する値である。同様に、同期信号ブロックN-1 508の第1の送信と同期信号ブロックN-1 508の第2の送信との間の周期は、同期信号周期502に対応する値である。
【００６６】
一態様では、周波数510と異なる場合がある周波数520において、基地局105などの基地局は、複数の同期信号バーストセット514を、同期信号周期512で、および同期信号バーストセット514の第1の送信に対するタイミングオフセット522を伴って送信し得る。たとえば、各同期信号バーストセット514は、同期信号ブロック0 516〜同期信号ブロックN-1 518など、複数の同期信号ブロックからなる場合がある。一例では、図5に示すように、同期信号バーストセット514の反復送信は、同期信号バーストセット504の反復送信と同様であり得る。しかしながら、同期信号バーストセット514の反復送信に対して、タイミングオフセット522は、送信を千鳥状に配置するために使用され得る。したがって、同期信号ブロック0 516の第1の送信は、同期信号ブロック0 506の第1の送信より後に(タイミングオフセット522の値に対応して)発生する。
【００６７】
さらに、同期信号周期512の値は、同期信号周期502の値と異なる場合がある。一例では、同期信号周期512の値は、同期信号周期502の値より大きい場合がある。それゆえ、同期信号ブロック0 516の反復送信は、同期信号ブロック0 506の反復送信より長い、各送信間の間隔を有する。
【００６８】
図6を参照すると、マッチング周期を有する複数周波数同期信号送信のための送信方式600の概念図が説明される。たとえば、送信方式600は、経時的に異なる周波数上の複数の同期信号ブロック604、606の送信を表す。異なる周波数は、同じキャリア周波数帯域内にあってもよく、または異なるキャリア周波数帯域(たとえば、キャリアアグリゲーション)内にあってもよい。
【００６９】
一態様では、異なる周波数上の送信の各々が、同時に開始して同じ周期602を有する場合がある。たとえば、基地局105などの基地局は、1次周波数ロケーションに位置する第1の同期信号ブロック604を、追加の周波数ロケーションに位置する第2の同期信号ブロック606と同じ周期602で反復して送信する場合がある。一例では、第1の同期信号ブロックと追加の同期信号ブロックの両方は、6msごとに送信され得るが、他の周期が利用されてもよい。
【００７０】
図7を参照すると、異なる周期を有する複数周波数同期信号送信のための送信方式700の概念図が説明される。たとえば、送信方式700は、経時的に異なる周波数上の複数の同期信号ブロック706、708の送信を表す。異なる周波数は、同じキャリア周波数帯域内にあってもよく、または異なるキャリア周波数帯域(たとえば、キャリアアグリゲーション)内にあってもよい。
【００７１】
さらに、異なる周波数上の送信の各々が、同時に開始するが異なる周期を有する場合がある。たとえば、基地局105などの基地局は、1次周波数ロケーションに位置する第1の同期信号ブロック706を第1の周期702で反復して送信する一方で、追加の周波数ロケーションに位置する第2の同期信号ブロック708を第2の周期704で送信する場合がある。一例では、第1の同期信号ブロック706が5msごとに送信される一方で、第2の同期信号ブロック708が10msごとに送信されてもよく、他の周期が利用されてもよい。
【００７２】
図8を参照すると、千鳥状配置型の複数周波数同期信号送信のための送信方式800の概念図が説明される。たとえば、送信方式800は、時間窓808内の、経時的に異なる周波数上の複数の同期信号ブロック810、812、814の送信を表す。異なる周波数は、同じキャリア周波数帯域内にあってもよく、または異なるキャリア周波数帯域(たとえば、キャリアアグリゲーション)内にあってもよい。さらに、異なる周波数上の送信は、同じもしくは異なる(オフセットされた)開始時間を有してもよく、および/または同じもしくは異なる周期を有してもよい。
【００７３】
一態様では、基地局105などの基地局は、第1の周期802を有する、1次周波数ロケーションに位置する第1の同期信号ブロック810を反復して送信する一方で、第2の周期804を有する、追加の周波数ロケーションに位置する第2の同期信号ブロック812の送信を千鳥状に配置(例えば、オフセット)してもよく、さらに、第3の周期806を有する、別の追加の周波数ロケーションに位置する第3の同期信号ブロック814の送信を千鳥状に配置してもよい。一例では、第1、第2および第3の周期802、804、806は、同じかまたは異なるかのいずれかであり得る。さらに、第2および第3の送信ブロック812、814の送信の千鳥状配置のオフセットの量は、同じであっても異なってもよい。3つの異なる周波数、周期およびオフセットは一例にすぎないこと、および異なる数が利用され得ることを理解されたい。
【００７４】
いくつかの事例では、バーストセット内の同期信号ブロックのサブセットは、追加の周波数ロケーションにおいて送信され得る。
【００７５】
いくつかの事例では、追加の周波数ロケーションにおける各同期信号ブロック内の信号のサブセットが送信され得る。たとえば、信号のサブセットは、PSSおよびSSSを送信することのみを含んでもよいが、信号の他のサブセットが利用されてもよい。
【００７６】
図9を参照すると、たとえば、ニューラジオ環境におけるUEとのセル同期の複雑さを低減するために、構成可能な同期信号送信を可能にするための上記の態様による基地局105(たとえば、gノードB)などのネットワークエンティティを動作させる際のワイヤレス通信の方法900は、本明細書で定義するアクションのうちの1つまたは複数を含む。具体的には、方法900は、同期信号の異なるセットを非対称に送信するために、同期構成要素170を実行するために基地局105を動作させる一例である。
【００７７】
ブロック902において、方法900は、同期信号の第1のセットを有する第1の同期信号ブロックを生成し得る。たとえば、基地局105は、同期信号の第1のセットを有する第1の同期信号ブロック184を生成するために、同期構成要素170および/または生成構成要素180を実行し得る。
【００７８】
ブロック904において、方法900は、同期信号の第1のセットとは異なる同期信号の第2のセットを有する少なくとも1つの第2の同期信号ブロックを生成し得る。たとえば、基地局105は、同期信号の第1のセットとは異なる同期信号の第2のセットを有する少なくとも1つの第2の同期信号ブロック184を生成するために、同期構成要素170および/または生成構成要素180を実行し得る。場合によっては、同期信号の第1のセットおよび同期信号の第2のセットの各々は、PSS、SSS、3次同期信号(TSS)、および物理ブロードキャストチャネル(PBCH)のうちの少なくとも1つを含む。
【００７９】
ブロック906において、方法900は、無線フレームの第1の部分の中で第1の同期信号ブロックを送信し得る。たとえば、基地局105および/または同期構成要素170は、無線フレームの第1の部分の中で第1の同期信号ブロック184を送信するためにトランシーバ1202(図12)を実行し得る。
【００８０】
一態様では、ブロック906は、1つまたは複数の同じアンテナポートまたは異なるアンテナポートのいずれかを介して第1の同期信号ブロックを送信するためのサブブロック910を随意に含み得る。たとえば、基地局105および/または同期構成要素170は、1つまたは複数の同じアンテナポート1265または異なるアンテナポート1265のいずれかを介して第1の同期信号ブロック184を送信するためにトランシーバ1202(図12)を実行し得る。
【００８１】
ブロック908において、方法900は、無線フレームの第2の部分の中で第2の同期信号ブロックを送信してもよく、第2の部分は第1の部分とは異なる。たとえば、基地局105および/または同期構成要素170は、無線フレームの第2の部分の中で第2の同期信号ブロック184を送信するためにトランシーバ1202(図12)を実行してもよく、第2の部分は第1の部分とは異なる。場合によっては、同期構成要素170は、アンテナ1265の同じまたは異なるポートなど、同じアンテナポートまたは異なるアンテナポートを介してPSS、SSS、TSSおよびPBCHを送信するように、トランシーバ1202などのトランシーバを構成し得る。無線フレームの異なる部分の中のこれらの異なるブロックセットを送信することは、同期シグナリングの非対称送信をもたらし、低減されたSSSの複雑さの利益を提供し得る。
【００８２】
一態様では、ブロック908は、1つまたは複数の同じアンテナポートまたは異なるアンテナポートのいずれかを介して第2の同期信号ブロックを送信するためのサブブロック912を随意に含み得る。たとえば、基地局105および/または同期構成要素170は、1つまたは複数の同じアンテナポート1265または異なるアンテナポート1265のいずれかを介して第2の同期信号ブロック184を送信するためにトランシーバ1202(図12)を実行し得る。
【００８３】
図10を参照すると、たとえば、ニューラジオ環境におけるUEとのセル同期の複雑さを低減するために、構成可能な同期信号送信を可能にするための上記の態様による基地局105(たとえば、gノードB)などのネットワークエンティティを動作させる際のワイヤレス通信の方法1000は、本明細書で定義するアクションのうちの1つまたは複数を含む。具体的には、方法1000は、異なる周波数上で同期信号の同じセットまたは異なるセットを送信するために、同期構成要素170を実行するために基地局105を動作させる一例である。
【００８４】
ブロック1002において、方法1000は、同期信号ブロックの第1のセットを有する第1の同期信号バーストセットを生成し得る。たとえば、一態様では、基地局105は、同期信号ブロック184の第1のセットを有する第1の同期信号バーストセット182を生成するために、同期構成要素170および/または生成構成要素180を実行し得る。
【００８５】
ブロック1004において、方法1000は、同期信号ブロックの第2のセットを有する少なくとも1つの第2の同期信号バーストセットを生成し得る。たとえば、一態様では、基地局105は、同期信号ブロック184の第2のセットを有する少なくとも1つの第2の同期信号バーストセット182を生成するために、同期構成要素170および/または生成構成要素180を実行し得る。場合によっては、第1の周波数および第2の周波数は、同じキャリア周波数帯域内にあってもよいが、他の場合には、それらは異なるキャリア周波数帯域内にある場合がある。一例では、第1の周波数は、第2の周波数とは異なる。別の例では、第1の周波数は、第2の周波数と同じである。
【００８６】
ブロック1006において、方法1000は、第1の同期信号バーストセットを第1の周波数上で送信し得る。たとえば、一態様では、基地局105および/または同期構成要素170は、第1の同期信号バーストセット182を第1の周波数上でUE110に送信するためにトランシーバ1202(図12)を実行し得る。
【００８７】
一態様では、ブロック1006は、第1の周期値で送信するためのサブブロック1010を随意に含み得る。たとえば、基地局105および/または同期構成要素170は、第1の周期値で送信するためにトランシーバ1202(図12)を実行し得る。基地局105および/または同期構成要素170は、第1の同期信号バーストセット182を、第1の周期値に基づいて周期的に第1の周波数上で送信するためにトランシーバ1202(図12)を実行し得る。
【００８８】
ブロック1008において、方法1000は、第2の同期信号バーストセットを第2の周波数上で送信し得る。たとえば、一態様では、基地局105および/または同期構成要素170は、第2の同期信号バーストセット182を第2の周波数上でUE110に送信するためにトランシーバ1202(図12)を実行し得る。
【００８９】
一例では、基地局105および/または同期構成要素170は、第2の同期信号バーストセット182を、第2の周期値に基づいて周期的に第2の周波数上で送信するためにトランシーバ1202(図12)を実行し得る。たとえば、ブロック1008は、第1の周期値とは異なる第2の周期値で送信するためのサブブロック1012を随意に含み得る。たとえば、基地局105および/または同期構成要素170は、第1の周期値とは異なる第2の周期値で送信するためにトランシーバ1202(図12)を実行し得る。別の態様では、ブロック1008は、第1の周期値と同じ第2の周期値で送信するためのサブブロック1014を随意に含み得る。たとえば、基地局105および/または同期構成要素170は、第1の周期値と同じ第2の周期値で送信するためにトランシーバ1202(図12)を実行し得る。
【００９０】
一例では、方法1000は、同期構成要素170が、第1の周期で送信することによって第1の同期信号ブロック184を送信しかつ第1の周期と異なる第2の周期で送信することによって第2の同期信号ブロック184を送信するためにトランシーバ1202(図12)などのトランシーバを構成することを含み得る。別の態様では、同期構成要素170は、第1の周期で送信することによって第1の同期信号ブロック184を送信しかつ第1の周期と同じ第2の周期で送信することによって第2の同期信号ブロック184を送信するために、トランシーバ1202などのトランシーバを構成し得る。
【００９１】
一例では、方法1000は、基地局105および/または同期構成要素170が、少なくとも1つの第1の周期値と、第2の周期値と、第1の同期信号バーストセット182と第2の同期信号バーストセット182の一方または両方に対するタイミングオフセット値と、同期信号ブロック184の第1のセットおよび同期信号ブロック184の第2のセットの表示とを含む同期情報を送信するために、トランシーバ1202(図12)を実行することを含み得る。
【００９２】
一例では、方法1000は、基地局105および/または同期構成要素170が、タイミングオフセットを有する第1の同期信号バーストセット182を送信し、および/またはタイミングオフセットを有する第2の同期信号バーストセット182を送信するために、トランシーバ1202(図12)を実行することを含み得る。
【００９３】
一例では、方法1000は、同期信号ブロック184の第1のセットは、同期信号ブロック184の第2のセットとは異なることを含み得る。
【００９４】
一例では、方法1000は、同期信号ブロック184の第1のセットが、同期信号バーストセット182の第1の複数の同期信号ブロック184のうちの1つであることと、同期信号ブロック184の第2のセットが、同期信号バーストセット182の第2の複数の同期信号ブロック184のうちの1つであることと、第2の複数の同期信号ブロック184が、第1の複数の同期信号ブロック184とは異なることとを含み得る。
【００９５】
一例では、方法1000は、基地局105および/または同期構成要素170が、第1の複数の同期信号ブロック184を第1の周波数上で送信するため、および/または第2の複数の同期信号ブロック184を第2の周波数上で送信するためにトランシーバ1202(図12)を実行することを含み得る。一実装形態では、第2の複数の同期信号ブロック184は、第1の複数の同期信号ブロック184のサブセットである。
【００９６】
一例では、方法1000は、同期信号ブロック184の第1のセットおよび同期信号ブロック184の第2のセットの各々は、1次同期信号(PSS)、2次同期信号(SSS)、3次同期信号(TSS)、および物理ブロードキャストチャネル(PBCH)のうちの少なくとも1つに対応する複数の信号を含むことを含み得る。
【００９７】
一例では、方法1000は、基地局105および/または同期構成要素170が、PSS、SSS、TSSおよびPBCHのうちの少なくとも1つを同じアンテナポートを介してまたは異なるアンテナポートを介して送信するために、トランシーバ1202(図12)を実行することを含み得る。
【００９８】
図11を参照すると、UE110の実装形態の一例は、上記で説明したように、基地局105によって非対称におよび/または複数の異なる周波数上で送信された同期信号、たとえば同期信号バーストセット182を受信して復号するために、1つまたは複数のプロセッサ1112、メモリ1116、およびトランシーバ1102などの構成要素を含む。これらの構成要素は、モデム140および同期構成要素150と連携して動作し得る1つまたは複数のバス1144を介して通信中であり得る。さらに、1つまたは複数のプロセッサ1112、モデム1114、メモリ1116、トランシーバ1102、無線周波数(RF)フロントエンド1188、および1つまたは複数のアンテナ1165は、1つまたは複数の無線アクセス技術において音声および/またはデータ呼出しを(同時にまた非同時に)サポートするように構成され得る。いくつかの態様では、モデム1114は、モデム140(図1)と同一または同様であってもよい。
【００９９】
一態様では、1つまたは複数のプロセッサ1112は、1つまたは複数のモデムプロセッサを使用するモデム1114を含むことができる。たとえば、一態様では、1つまたは複数のプロセッサ1112は、モデムプロセッサ、またはベースバンドプロセッサ、またはデジタル信号プロセッサ、または送信機プロセッサ、または受信機プロセッサ、またはトランシーバ1102に関連付けられたトランシーバプロセッサのうちの任意の1つまたは任意の組合せを含み得る。他の態様では、1つまたは複数のプロセッサ1112および/またはモデム140の特徴のうちのいくつかは、トランシーバ1102によって実行され得る。
【０１００】
また、メモリ1116は、本明細書で使用するデータおよび/またはアプリケーション1175のローカルバージョン、ならびに/あるいは少なくとも1つのプロセッサ1112によって実行されるそのサブ構成要素のうちの1つもしくは複数を記憶するように構成され得る。メモリ1116は、ランダムアクセスメモリ(RAM)、読取り専用メモリ(ROM)、テープ、磁気ディスク、光ディスク、揮発性メモリ、不揮発性メモリ、およびそれらの任意の組合せなどの、コンピュータまたは少なくとも1つのプロセッサ1112によって使用可能な任意のタイプのコンピュータ可読媒体を含むことができる。
【０１０１】
トランシーバ1102は、少なくとも1つの受信機1106および少なくとも1つの送信機1108を含み得る。受信機1106は、データを受信するためにプロセッサによって実行可能なハードウェア、ファームウェア、および/またはソフトウェアコードを含むことができ、コードは命令を備え、メモリ(たとえば、コンピュータ可読媒体)に記憶される。受信機1106は、たとえば、RF受信機であり得る。一態様では、受信機1106は、少なくとも1つの基地局105によって送信された信号を受信し得る。加えて、受信機1106は、そのような受信信号を処理することができ、限定はしないが、Ec/Io、SNR、RSRP、RSSIなどの、信号の測定値を取得することもできる。送信機1108は、データを送信するためにプロセッサによって実行可能なハードウェア、ファームウェア、および/またはソフトウェアコードを含むことができ、コードは命令を備え、メモリ(たとえば、コンピュータ可読媒体)に記憶される。送信機1108の適切な例は、限定はしないが、RF送信機を含み得る。
【０１０２】
さらに、一態様では、UE110は、1つまたは複数のアンテナ1165と通信して動作し得るRFフロントエンド1188と、無線送信、たとえば、少なくとも1つの基地局105によって送信されたワイヤレス通信またはUE110によって送信されたワイヤレス送信を受信および送信するためのトランシーバ1102とを含み得る。RFフロントエンド1188は、1つまたは複数のアンテナ1165に接続されてもよく、RF信号を送信および受信するために、1つまたは複数の低雑音増幅器(LNA)1190と、1つまたは複数のスイッチ1192と、1つまたは複数の電力増幅器(PA)1198と、1つまたは複数のフィルタ1196とを含むことができる。
【０１０３】
一態様では、LNA1190は、所望の出力レベルで受信信号を増幅することができる。一態様では、各LNA1190は、指定された最小および最大の利得値を有し得る。一態様では、RFフロントエンド1188は、特定のアプリケーションの所望の利得値に基づいて特定LNA1190およびその指定された利得値を選択するために、1つまたは複数のスイッチ1192を使用し得る。
【０１０４】
さらに、たとえば、1つまたは複数のPA1198は、RF出力の信号を所望の出力電力レベルで増幅するために、RFフロントエンド1188によって使用され得る。一態様では、各PA1198は、指定された最小および最大の利得値を有し得る。一態様では、RFフロントエンド1188は、特定のアプリケーションの所望の利得値に基づいて特定のPA1198および対応する指定された利得値を選択するために、1つまたは複数のスイッチ1192を使用し得る。
【０１０５】
また、たとえば、1つまたは複数のフィルタ1196がRFフロントエンド1188により使用されて、受信信号をフィルタリングし、入力RF信号を得ることができる。同様に、一態様では、たとえば、それぞれのフィルタ1196は、それぞれのPA1198からの出力をフィルタリングして送信用の出力信号を生成するために使用され得る。一態様では、各フィルタ1196は、特定のLNA1190および/またはPA1198に接続することができる。一態様では、RFフロントエンド1188は、トランシーバ1102および/またはプロセッサ1112によって指定された構成に基づいて、指定されたフィルタ1196、LNA1190、および/またはPA1198を使用して送信経路または受信経路を選択するために、1つまたは複数のスイッチ1192を使用することができる。
【０１０６】
したがって、トランシーバ1102は、RFフロントエンド1188を介して1つまたは複数のアンテナ1165を通じてワイヤレス信号を送信および受信するように構成され得る。一態様では、UE110が、たとえば、1つもしくは複数の基地局105、または1つもしくは複数の基地局105に関連付けられた1つもしくは複数のセルと通信することができるように、トランシーバは、指定された周波数で動作するように同調され得る。一態様では、たとえば、モデム140は、UE110のUE構成およびモデム140によって使用される通信プロトコルに基づいて、指定された周波数および電力レベルで動作するようにトランシーバ1102を構成することができる。
【０１０７】
一態様では、モデム140は、マルチバンドマルチモードモデムとすることができ、このモデムは、デジタルデータがトランシーバ1102を使用して送られ、受信されるように、デジタルデータを処理し、トランシーバ1102と通信することができる。一態様では、モデム140はマルチバンドであり得、また特定の通信プロトコルのために複数の周波数帯域をサポートするように構成され得る。一態様では、モデム140は、マルチモードであり得、また複数の動作ネットワークおよび通信プロトコルをサポートするように構成され得る。一態様では、モデム140は、指定されたモデム構成に基づき、ネットワークからの信号を送信および/または受信できるように、UE110の1つまたは複数の構成要素(たとえば、RFフロントエンド1188、トランシーバ1102)を制御することができる。一態様では、モデム構成は、モデムのモードおよび使用中の周波数帯域に基づき得る。別の態様では、モデム構成は、セル選択および/またはセル再選択の間にネットワークによって提供されるUE110に関連するUE構成情報に基づき得る。
【０１０８】
図12を参照すると、基地局105の実装形態の一例は、様々な構成要素を含むことができ、そのうちのいくつかについてはすでに上記で説明したが、1つまたは複数のバス1244を介して通信している、1つまたは複数のプロセッサ1212、メモリ1216、およびトランシーバ1202などの構成要素を含み、これらの構成要素は、上記で説明したように、ニューラジオ環境におけるUEとのセル同期の複雑さを低減するために構成可能な同期信号送信を可能にするために生成構成要素180を含むモデム160および同期構成要素170と連携して動作し得る。
【０１０９】
トランシーバ1202、受信機1206、送信機1208、1つまたは複数のプロセッサ1212、メモリ1216、アプリケーション1275、バス1244、RFフロントエンド1288、LNA1290、スイッチ1292、フィルタ1296、PA1298、および1つまたは複数のアンテナ1265は、上記で説明したように、UE110の対応する構成要素と同一または同様であってよいが、UE動作とは対照的に基地局動作のために構成されるか、またはさもなければプログラムされてよい。
【０１１０】
添付の図面に関して上記に記載した詳細な説明は、例について説明しており、実装され得る、または特許請求の範囲の範囲内に入る唯一の例を表すものではない。「例」という用語は、この説明で使用されるとき、「一例、事例、または例示として働くこと」を意味し、「好ましい」、または「他の例よりも有利である」ことを意味するわけではない。この詳細な説明は、説明した技法の理解を可能にする目的で、具体的な詳細を含む。しかしながら、これらの技法は、これらの具体的な詳細を伴うことなく実践されることがある。いくつかの事例では、説明した例の概念を不明瞭にすることを回避するために、よく知られている構造および装置がブロック図の形態で示される。
【０１１１】
情報および信号は、様々な異なる技術および技法のいずれかを使用して表されてよい。たとえば、上記の説明全体にわたって参照され得るデータ、命令、コマンド、情報、信号、ビット、シンボル、およびチップは、電圧、電流、電磁波、磁場もしくは磁性粒子、光場もしくは光学粒子、コンピュータ可読媒体上に記憶されたコンピュータ実行可能コードもしくは命令、またはそれらの任意の組合せによって表され得る。
【０１１２】
本開示に関して説明した様々な例示的なブロックおよび構成要素は、限定はしないが、プロセッサ、デジタル信号プロセッサ(DSP)、ASIC、FPGAもしくは他のプログラマブル論理デバイス、個別ゲートもしくはトランジスタ論理、個別ハードウェア構成要素などの特別にプログラムされたデバイス、または本明細書で説明した機能を実行するように設計されたそれらの任意の組合せを用いて実装または実行され得る。特別にプログラムされたプロセッサは、マイクロプロセッサであってよいが、代替として、プロセッサは、任意の従来のプロセッサ、コントローラ、マイクロコントローラ、または状態機械であってもよい。特別にプログラムされたプロセッサはまた、コンピューティングデバイスの組合せ、たとえば、DSPとマイクロプロセッサとの組合せ、複数のマイクロプロセッサ、DSPコアと連携した1つもしくは複数のマイクロプロセッサ、または任意の他のそのような構成としても実装され得る。
【０１１３】
本明細書で説明した機能は、ハードウェア、プロセッサによって実行されるソフトウェア、ファームウェア、またはそれらの任意の組合せとして実装されてもよい。プロセッサによって実行されるソフトウェアにおいて実装される場合、機能は、1つまたは複数の命令またはコードとして非一時的コンピュータ可読媒体上に記憶されるか、または非一時的コンピュータ可読媒体を介して伝送されてもよい。他の例および実装形態は、本開示および添付の特許請求の範囲の範囲および要旨内にある。たとえば、ソフトウェアの性質に起因して、上記で説明した機能は、特別にプログラムされたプロセッサによって実行されるソフトウェア、ハードウェア、ファームウェア、ハードワイヤリング、またはこれらのうちのいずれかの組合せを使用して実装され得る。機能を実装する特徴はまた、異なる物理的位置において機能の部分が実装されるように分散されることを含めて、様々な位置に物理的に配置されてもよい。また、特許請求の範囲を含めて本明細書で使用する場合、「のうちの少なくとも1つ」で終わる項目のリストにおいて使用される「または」は、たとえば、「A、B、またはCのうちの少なくとも1つ」のリストがAまたはBまたはCまたはABまたはACまたはBCまたはABC(すなわち、AおよびBおよびC)を意味するような選言的リストを示す。
【０１１４】
コンピュータ可読媒体は、コンピュータ記憶媒体と、ある場所から別の場所へのコンピュータプログラムの移転を容易にする任意の媒体を含む通信媒体の両方を含む。記憶媒体は、汎用コンピュータまたは専用コンピュータによってアクセスされ得る任意の利用可能な媒体であり得る。限定ではなく例として、コンピュータ可読媒体は、RAM、ROM、EEPROM、CD-ROMもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用コンピュータもしくは専用コンピュータまたは汎用プロセッサもしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピーディスク(disk)およびBlu-ray(登録商標)ディスク(disc)を含み、ディスク(disk)は通常、データを磁気的に再生し、ディスク(disc)は、レーザを用いてデータを光学的に再生する。上記の組合せも、コンピュータ可読媒体の範囲内に含まれる。
【０１１５】
本開示の前述の説明は、当業者が本開示を作成または使用することができるように与えられる。本開示の様々な変更は、当業者に容易に明らかになり、本明細書で定義する一般原理は、本開示の趣旨または範囲から逸脱することなく、他の変形形態に適用され得る。さらに、説明する態様および/または実施形態の要素は単数形で説明または特許請求されている場合があるが、単数形への限定が明示的に記載されていない限り、複数形が企図される。加えて、任意の態様および/または実施形態の全部または一部分は、別段に記載されていない限り、任意の他の態様および/または実施形態の全部または一部分とともに利用され得る。したがって、本開示は、本明細書で説明する例および設計に限定されるべきではなく、本明細書で開示する原理および新規の特徴と一致する最も広い範囲を与えられるべきである。
【符号の説明】
【０１１６】
100  ワイヤレス通信ネットワーク
105  基地局
110  ユーザ機器(UE)
115  コアネットワーク
120  トランシーバ
125  バックホールリンク
130  地理的カバレージエリア
135  ワイヤレス通信リンク
140  モデム
150  同期構成要素
160  モデム
170  同期構成要素
180  生成構成要素
182  第1の同期信号バーストセット、第2の同期信号バーストセット
184  第1の同期信号ブロック、第2の同期信号ブロック
200  同期信号階層方式
202  同期信号バーストセット
204  同期信号バースト
206  同期信号ブロック
300  送信方式
302  無線フレーム
304  無線フレーム
306  第1の部分
308  第2の部分
310  プリアンブル
312  ミッドアンブル
314  プリアンブル
316  ミッドアンブル
318  プリアンブル
320  ミッドアンブル
400  送信方式
402  無線フレーム
404  無線フレーム
406  第1の部分
408  第2の部分
410  プリアンブル
412  ミッドアンブル
414  プリアンブル
416  ミッドアンブル
418  プリアンブル
420  ミッドアンブル
500  送信方式
502  同期信号周期
504  同期信号バーストセット
506  同期信号ブロック0
508  同期信号ブロックN-1
510  周波数
512  同期信号周期
514  同期信号バーストセット
516  同期信号ブロック0
518  同期信号ブロックN-1
520  周波数
522  タイミングオフセット
600  送信方式
602  周期
604  第1の同期信号ブロック
606  第2の同期信号ブロック
700  送信方式
702  第1の周期
704  第2の周期
706  第1の同期信号ブロック
708  第2の同期信号ブロック
800  送信方式
802  第1の周期
804  第2の周期
806  第3の周期
808  時間窓
810  第1の同期信号ブロック
812  第2の同期信号ブロック
814  第3の同期信号ブロック
1102  トランシーバ
1106  受信機
1108  送信機
1112  プロセッサ
1116  メモリ
1144  バス
1165  アンテナ
1175  アプリケーション
1188  無線周波数(RF)フロントエンド
1190  低雑音増幅器(LNA)
1192  スイッチ
1196  フィルタ
1198  電力増幅器(PA)
1202  トランシーバ
1206  受信機
1208  送信機
1212  プロセッサ
1216  メモリ
1244  バス
1265  アンテナ
1275  アプリケーション
1288  RFフロントエンド
1290  LNA
1292  スイッチ
1296  フィルタ
1298  PA
【図１】
2020510349.tif 000004
【図２】
2020510349.tif 000005
【図３】
2020510349.tif 000006
【図４】
2020510349.tif 000007
【図５】
2020510349.tif 000008
【図６】
2020510349.tif 000009
【図７】
2020510349.tif 000010
【図８】
2020510349.tif 000011
【図９】
2020510349.tif 000012
【図１０】
2020510349.tif 000013
【図１１】
2020510349.tif 000014
【図１２】
2020510349.tif 000015
【国際調査報告】
2020510349.tif 000016
2020510349.tif 000017
2020510349.tif 000018
2020510349.tif 000019